(57)【特許請求の範囲】
【請求項１】
枠体にメッシュ生地を張設した椅子部材の製造方法であって、枠状のキャビティを形成する一対の金型を有し、一方の金型の外側にメッシュ生地を保持するメッシュ押え型を添着し該メッシュ押え型を該金型の外側に沿って移動させて該メッシュ生地に必要とする張力を付与し、該メッシュ生地の周縁側が上記キャビティにより形成される枠体の裏面の途中を通過するようにメッシュ生地の周縁側をキャビティから外方に引き出した状態で射出成形し、成形後枠体の裏面から延出するメッシュ生地の周縁部を切り取ることを特徴とするメッシュ生地を有する椅子部材の製造方法。
【請求項２】
上記一対の金型は突状の型面を有するコア金型と凹状の型面を有するキャビ金型であり、メッシュ押え型はコア金型に添着され、メッシュ押え型をコア金型方向に移動後、該コア金型とメッシュ押え型を上記キャビ金型に合着する請求項１に記載のメッシュ生地を有する椅子部材の製造方法。
【請求項３】
上記メッシュ押え型には、キャビティを形成する型面の一部となる型面が形成されている請求項１又は２に記載のメッシュ生地を有する椅子部材の製造方法。
【請求項４】
上記メッシュ生地は、メッシュ押え型と該メッシュ押え型が添着する金型の間を通って延びている上記請求項１から３のいずれかに記載のメッシュ生地を有する椅子部材の製造方法。
【請求項５】
上記メッシュ押え型と該メッシュ押え型が添着する金型には、メッシュ押え型を該金型方向へ移動させる際に係合する突部と凹部を有する上記請求項１から４のいずれかに記載のメッシュ生地を有する椅子部材の製造方法。
【請求項６】
裏面に凹み部を有する枠体と、該枠体により形成される開口部を有し、該開口部にはメッシュ生地が張設され、該メッシュ生地の周縁部はインサート成形により上記枠体と一体成形され、該メッシュ生地の端縁部は上記枠体の裏面の凹み部の途中を通過して枠体外に位置し、上記枠体とメッシュ生地は上記請求項１から５のいずれかに記載のメッシュ生地を有する椅子部材の製造方法により一体的に製造されている椅子部材。
【発明の詳細な説明】
【技術分野】
【０００１】
本発明は、メッシュを有する背部や座部等の椅子部材の製造方法及びその椅子部材に関する。
【背景技術】
【０００２】
オフィスやホール、集会場などで利用される椅子には、背部や座部にクッション材を取り付けた構造が多いが、この種の椅子とは別に、背部や座部を、開口部を有する枠体に構成し、その開口部に弾性のあるメッシュ生地を張設した椅子が知られている。このようなメッシュを有する椅子は、軽快感があり、快適な座り心地を実現することができる。このようなメッシュ生地を設置する方法として下記のような方法が知られている。
【０００３】
従来より広く知られている構成として、背枠や座枠を開口部を有する枠体に形成し、この開口部にメッシュ生地を張り込んだ別部材を嵌め込んだもの(例えば特許文献１参照)がある。しかし、この構成では、枠部と、メッシュ生地を保持する部材と、これらを固定するねじ等の連結部材が必要であり、部品点数が多く、枠部の強度も要求され、形状も大きくかつ太くなり、経済的に得にくくなる。
【０００４】
また、金属フレームの枠部に巾着袋状にしたメッシュ生地をかぶせる構成も知られている(例えば特許文献２参照)。しかし、この構成では枠部を金属フレームにしなければならないので、枠部の形状の自由度が少なくなり、巾着袋状にメッシュ生地を縫製するためコストも高くなる。さらに、金属フレームにメッシュ生地を張り込んだものを、インサート成形によりプラスチックで一体的に形成する構成も知られている(例えば、特許文献３参照)が、この構成ではメッシュ生地を張り込んだ金属枠がプラスチック内に設けられている複合材料となるため、製品の廃棄時に分別できず、リサイクル性に乏しくなるという問題がある。
【０００５】
上記のような問題を生じない方法として、メッシュ生地のみをプラスチック製の枠部と射出成形により一体成形する方法も知られている(例えば特許文献４参照)。この場合はデザインの自由度もあり、メッシュ生地をインサートして枠部と一体成形するため、部材点数が少なく、経済的に得ることができる。この方法を図１３の成形フローを参照して説明すると、例えば座枠を形成する一次射出成形金型を固定した射出成形機を開けてメッシュ生地をこの金型の前面に手作業で垂れ下げ、周囲をクリップで固定したのち、金型を閉じ該金型内に樹脂材料を射出して一次射出成形を行う。この金型から成形品を取り出すと、メッシュ生地が樹脂枠と一体になって周囲が枠部から飛び出している構造であるから、樹脂枠部以外の余分なメッシュ生地をカッターナイフ等でトリミングし、一次成形品を得る。次に射出成形機に２次射出成形金型を固定し、成形機を開けて上記１次成形品をセットし、座枠の残りの部分を形状を２次射出成形する。成形後、金型から取り出された２次成形品は、メッシュ生地がゆるくたるんだ状態である。その理由は、１次成形でメッシュ生地を強く引き込み過ぎると、その張力により１次成形品がたわんだり、ねじれたりして変形し、２次成形金型にセットできなくなるからである。したがって、最後にメッシュ生地を加熱し、生地のたるみを取り、張った状態にして背部、座部等の製品が完成する。このメッシュ生地の加熱機はアルミ金型を有し、この金型を加熱し、メッシュ生地を挟み込むように接近させて加熱するものであり、加熱機から取り出したメッシュ生地は、冷却過程での収縮作用によりたるみがなくなり、ピンと張った状態になる。
【０００６】
以上のようにしてメッシュ生地を張り込む方法では、２回の射出成形工程と加熱工程を経るため、リードタイムが長く、経費がかかり、変形により２次射出成形金型にセットできない１次成形品も発生することがあって、経済的でない。その上、２次射出成形時に射出圧力で金型内部の一次成形品があばれて、外観不良品が発生したり、トリミングした生地の破片（生地端材）が２次射出成形の際に異物として混入して外観不良品となったり、加熱工程においてメッシュ生地が溶けて不良品となったりすることがあった。さらに、座部の場合、２次成形するため、座枠の座面（上面）前縁部とメッシュ生地の連接部間に数ミリの段差が生じ、着座したとき着座者の大腿部を圧迫し、不快感を与えることもあった。
【０００７】
上記の方法にかえて１回の射出成形によりメッシュ生地と枠体をインサート成形で製造する方法も知られている(例えば、特許文献５参照)。この方法では、張力付与機構（装置）によりメッシュ生地の周囲を金型の外方に引っ張り、金型によって形成されるキャビティ内で必要な張力を与えた状態でメッシュ生地を、型面に無接触あるいは点接触若しくは線接触すると共に周縁側が枠部材の縁部を通過するように設置して射出成形し、その後、枠部材の周縁からはみ出したメッシュ生地を切り取っている。しかし、この方法では、メッシュ生地の周縁部を金型の外方に引っ張るための張力付与機構（装置）を別に設けなければならないし、枠部材の周縁からメッシュ生地を引き出しているから、図１４に示すように開口部３０を有する枠部材３１の周縁部３２に、トリミングにより切り取ったメッシュ生地３３の端縁部３４があらわれてしまう。この周縁部３２は、座部や背部のなったとき、手や指が触れるおそれもあり、ザラザラするから感じもよくない。
【先行技術文献】
【特許文献】
【０００８】
【特許文献１】特開２００６−１１０００２号公報（請求項１、３、図３、図５）
【特許文献２】特開２００５−１０３０４７号公報（請求項１〜４、図１、図６）
【特許文献３】特許第３２００４０９号公報（請求項１、２、図１、図４）
【特許文献４】特開２００８−２５９６７３号公報（段落００１６、図１１)
【特許文献５】特開２００２−２４００８１号公報（請求項１、段落００４０、図１、図３、、図４)
【発明の概要】
【発明が解決しようとする課題】
【０００９】
本発明の解決課題は、メッシュ生地を枠体と一体に成形するインサート成形技術を利用し、特別な張力付与装置を別に設けなくても一回の射出成形で一体成形品が得られ、背部や座部等の製品になったとき周縁部がザラつくようなおそれもなく、経済的で、外観のきれいなメッシュ生地を有する椅子部材が得られる製造方法およびその椅子部材を提供することである。
【課題を解決するための手段】
【００１０】
本発明によれば、  枠体にメッシュ生地を張設した椅子部材の製造方法であって、枠状のキャビティを形成する一対の金型を有し、一方の金型の外側にメッシュ生地を保持するメッシュ押え型を添着し該メッシュ押え型を該金型の外側に沿って移動させて該メッシュ生地に必要とする張力を付与し、該メッシュ生地の周縁側が上記キャビティにより形成される枠体の裏面の途中を通過するようにメッシュ生地の周縁側をキャビティから外方に引き出した状態で射出成形し、成形後枠体の裏面から延出するメッシュ生地の周縁部を切り取ることを特徴とするメッシュ生地を有する椅子部材の製造方法及びそれにより得られた椅子部材が提供され、上記課題が解決される。
【００１１】
また、本発明によれば、上記一対の金型は突状の型面を有するコア金型と凹状の型面を有するキャビ金型であり、メッシュ押え型はコア金型に添着され、メッシュ押え型をコア金型方向に移動後、該コア金型とメッシュ押え型を上記キャビ金型に合着し、上記メッシュ押え型にはキャビティを形成する型面の一部となる型面が形成されている上記メッシュ生地を有する椅子部材の製造方法が提供され、上記課題が解決される。
【００１２】
さらに、本発明によれば、上記メッシュ生地は、メッシュ押え型と該メッシュ押え型が添着する金型の間を通って延びており、上記メッシュ押え型と該メッシュ押え型が添着する金型には、メッシュ押え型を該金型方向へ移動させる際に係合する突部と凹部が形成されている上記メッシュ生地を有する椅子部材の製造方法が提供され、上記課題が解決される。
【発明の効果】
【００１３】
本発明は、上記のように構成され、枠体にメッシュ生地を張設した椅子部材の製造方法であって、枠状のキャビティを形成する一対の金型を有し、一方の金型の外側にメッシュ生地を保持するメッシュ押え型を添着し該メッシュ押え型を該金型の外側に沿って移動させて該メッシュ生地に必要とする張力を付与し、該メッシュ生地の周縁側が上記キャビティにより形成される枠体の裏面の途中を通過するようにメッシュ生地の周縁側をキャビティから外方に引き出した状態で射出成形し、成形後枠体の裏面から延出するメッシュ生地の周縁部を切り取るようにしたので、従来のように１次、２次の射出成形をするために２面の金型を用意しなければならない方法に比べて射出成形金型が１面で済み、射出成形金型投資が半分となり、工程数削減によりリードタイムも短縮され、経済的に得られる。その上、メッシュ押え型を金型の外側に沿って移動させるだけでメッシュ生地に必要な張力を付与するようにしたから、特別にメッシュ生地の張力付与装置を設ける必要がなく、装置が簡素化される。また、従来のように成形後に溶着したり、縫製したり、ねじ止めしたりする必要もないので、著しく製造が簡単となり、成形品の周縁部にはメッシュ生地の端縁部のザラザラ面が現れないから、見栄えや手触り感もよく、しかも１回の射出成形で形成できるから、メッシュ生地を枠体の表面間の段差が少ない座り心地のよい背部、座部等の椅子部材が得られる。
【図面の簡単な説明】
【００１４】
【図１】本発明の一実施例を示す成形フロー図。
【図２】キャビ金型、コア金型およびメッシュ押え型の関係を示す説明図。
【図３】図２に示す状態からメッシュ押え型を移動させた状態の説明図。
【図４】図３に示す状態からメッシュ押え型をさらに移動させてメッシュ生地を引き込んだ状態の説明図。
【図５】図４に示す状態からメッシュ押え型でメッシュ生地を十分に押えた状態の説明図。
【図６】図５に示す状態からコア金型とメッシュ押え型を移動させてキャビ金型に合着し型締めした状態の説明図。
【図７】図６に示す状態で射出成形した状態の説明図。
【図８】図７に示す状態から型を開いた状態の説明図。
【図９】図８に示す状態からメッシュ押え型を移動させた状態の説明図。
【図１０】図９に示す状態から型を十分に開いた状態の説明図。
【図１１】図１０に示す状態から成形品を離型させた状態の説明図。
【図１２】製品の一実施例を示し、（Ａ）は裏面から見た一部の斜視図、（Ｂ）は断面図。
【図１３】従来の製造方法の一例を示すフロー図。
【図１４】従来の製品の一例を示し、（Ａ）は裏面から見た一部の斜視図、（Ｂ）は断面図。
【発明を実施するための形態】
【００１５】
以下本発明の一実施例を、図１に示すフロー図及び図２〜図１１の説明図を参照しながら説明する。図２に示すように、本発明による射出成形機の金型は、射出ノズル（図示略）側のキャビ金型１と可動盤側のコア金型２とメッシュ押え型３を具備している。上記コア金型２とキャビ金型１は、断面が略弧状もしくは略Ｌ字状その他の裏面に凹み部を有する枠状のキャビティを形成する型面を有し、コア金型２には突状の型面４及び凹状の型面５とメッシュ生地押え面６が形成され、キャビ金型１には凹状の型面７とメッシュ生地押え面８が形成されているが、これらの型面は得ようとする枠体の断面形状等により種々の形状に形成することができる。
【００１６】
上記メッシュ押え型３は、メッシュ生地９を保持して上記コア金型２の型巣の外側に添着できる形状に形成され、内側面１０は該金型の外側面１１に沿って該金型方向に移動可能であり、これらの外側面１１及び内側面１０には嵌合具合を考慮して緩やかな傾斜面が形成されている。該メッシュ押え型３には、上記キャビティの型面の一部となる突状の型面１２や凹状の型面１３が形成され、また、外面には上記メッシュ生地を引き込むことができるよう該金型２の段部１４に形成した穴、溝等の凹部１５に係合する突起や突条等の突部１６が形成されている。なお、突部を金型側に設け、凹部をメッシュ押え型側に設けてもよく、上記型面は得ようとする枠体の断面形状により種々に形成される。
【００１７】
メッシュ生地９は、椅子部材として好適な適宜の材料を用いることができ、図に示す実施例ではポリエステル弾性糸とポリエステル糸で織成したメッシュ生地が用いられ、上記コア金型の前面を覆い、メッシュ押え型３の内側面１０とコア金型２の外側面１１の間を通して保持できる充分な大きさに形成されている。
【００１８】
而して、上記金型１、２及びメッシュ押え型３を用いて成形するには、最初にコア金型２の前面をメッシュ生地９で覆い、該メッシュ生地９の周囲をコア金型２の外側面１１に垂らし、メッシュ押え型３の内側面１０との間で挟着しながらメッシュ押え型３を該外側面１１に沿ってコア金型２方向に移動させる（図３）。
【００１９】
上記メッシュ押え型３の突部１６とコア金型２の凹部１５が係合し始めるとメッシュ生地９は引き込まれ（図４）、充分に係合するとメッシュ生地９は椅子部材として必要とされる強度の張力で上記コア金型２のメッシュ押え面６と突状の型面４の先端間に面接触状態で張り渡される（図５）。このとき、凹部１５と突部１６の深さ等を調節することによりメッシュ生地の張力を調節することができる。
【００２０】
その後、上記コア金型２とメッシュ押え型３は、キャビ金型１方向へ移動され、該キャビ金型１と合着して型締めされる（図６）。この型締めにより枠体として必要なキャビティ１７が形成されるが、このとき、メッシュ生地９の周縁側はこのキャビティにより形成される枠体の裏面の凹み部の途中を通過するようにメッシュ押え型３の内側面１０とコア金型２の外側面１１の間を通ってキャビティ１７の外方に引き出された状態となる。
【００２１】
この状態で、上記キャビティ内にプラスチック材料１８が射出され、メッシュ生地は枠体と一体成形される（図７）。このプラスチック材料としては、図に示す実施例ではポリプロピレンが使用されているが、このプラスチック材料はメッシュ生地等を考慮して適宜の樹脂とすることができる。
【００２２】
射出成形後、コア金型２をキャビ金型１から移動させて、型開きし（図８）、次にメッシュ押え型３をコア金型２から移動させる（図９、図１０）。そして、メッシュ押え型３から成形品１９を取り出す（図１１）。最後に、該成形品１９からメッシュ生地９の周縁部をカッターナイフ等でトリミングすれば、枠体２０の裏面の凹み部２１に端縁部２２が隠された状態でメッシュ生地９が所望の張力で張設された椅子部材が得られる。
【００２３】
上記のようにして得られた椅子部材は、図１２に示すように裏面に凹み部２１を有する枠体２０の開口部２３にメッシュ生地９が必要な強度で張設され、しかも枠体の周縁部２４にはメッシュ生地９の端縁部２２があらわれていない、見栄えのよい、手触りの滑らかな製品であり、背部、座部その他の適宜の椅子部材を構成することができる。
【符号の説明】
【００２４】
１    キャビ金型
２    コア金型
３    メッシュ押え型
９    メッシュ生地
１０  メッシュ押え型の内側面
１１  コア金型の外側面
１５  凹部
１６  突部
１７  キャビティ
【図１】
0005537184.tif 000002
【図２】
0005537184.tif 000003
【図３】
0005537184.tif 000004
【図４】
0005537184.tif 000005
【図５】
0005537184.tif 000006
【図６】
0005537184.tif 000007
【図７】
0005537184.tif 000008
【図８】
0005537184.tif 000009
【図９】
0005537184.tif 000010
【図１０】
0005537184.tif 000011
【図１１】
0005537184.tif 000012
【図１２】
0005537184.tif 000013
【図１３】
0005537184.tif 000014
【図１４】
0005537184.tif 000015